(57)【特許請求の範囲】
【請求項１】
電動車両に用いられる可搬型のバッテリ（４５）を載置可能なステージ（８）と、
前記バッテリ（４５）を前記ステージ（８）に載置しない状態で、前記ステージ（８）に対して前記バッテリ４５が載置される側の位置とは反対側の位置に設けられた端子部（９）と、
前記バッテリ（４５）を前記ステージ（８）に載置しない状態で、前記端子部（９）を保護する保護部（１２）と、を備え、
前記ステージ（８）には、前記端子部（９）と対応する箇所で開口する端子開口（８０）が設けられ、
前記保護部（１２）は、前記バッテリ（４５）をステージ（８）に載置しない状態では前記端子開口（８０）を覆い、前記バッテリ（４５）を前記ステージ（８）に載置したときに前記ステージ（８）に連動して移動することにより前記端子開口（８０）を露出させることを特徴とする可搬型バッテリの充電器。
【請求項２】
前記ステージ（８）は、上下方向に移動可能であり、
前記端子部（９）は、前記バッテリ（４５）を前記ステージ（８）に配置しない状態で、前記ステージ（８）の下方に配置されていることを特徴とする請求項１に記載の可搬型バッテリの充電器。
【請求項３】
前記保護部（１２）は、前記充電器（１）が設置される設置面（ＦＬ）と平行な第一方向、または前記第一方向に交差する第二方向に延びる軸の回りに回転可能であることを特徴とする請求項１または２に記載の可搬型バッテリの充電器。
【請求項４】
前記バッテリ（４５）を前記ステージ（８）に載置したときに前記ステージ（８）は下方に移動し、
前記充電器（１）に設けられ、前記ステージ（８）の下方への移動に伴って前記保護部（１２）に当接する固定部（６８）を更に備え、
前記保護部（１２）は、前記ステージ（８）の下方への移動に伴って前記固定部（６８）に当接することにより前記軸の回りに回転することを特徴とする請求項３に記載の可搬型バッテリの充電器。
【請求項５】
前記保護部（１２）は、
前記バッテリ（４５）をステージ（８）に載置しない状態で前記端子開口（８０）を覆う保護部本体（１２０）と、
前記保護部本体（１２０）から延出し、前記端子部（９）を挟んで設けられた一対の脚部（１２１）と、を備え、
前記一対の脚部（１２１）のそれぞれには、前記保護部（１２）の回転中心（Ｃ１）が設けられ、
前記保護部（１２）は、前記充電器（１）の内方に向かって回転可能に形成されていることを特徴とする請求項１から４のいずれか一項に記載の可搬型バッテリの充電器。
【請求項６】
前記脚部（１２１）は、前記充電器（１）の外方に向かって延びる延設部（１２７）を備え、
前記保護部（１２）は、前記延設部（１２７）が前記充電器（１）に設けられた固定部（６８）に当接することにより前記充電器（１）の内方に向かって回転することを特徴とする請求項５に記載の可搬型バッテリの充電器。
【請求項７】
前記ステージ（８）には、前記充電器（１）の内部に連通する連通開口（８１）が設けられ、
前記連通開口（８１）を覆い、前記ステージ（８）に着脱可能に取り付けられたリッド（８５）を更に備えることを特徴とする請求項１から６のいずれか一項に記載の可搬型バッテリの充電器。
【請求項８】
前記保護部（１２）は、前記バッテリ（４５）をステージ（８）に載置しない状態で前記端子開口（８０）を覆う保護部本体（１２０）を備え、
前記保護部本体（１２０）には、前記バッテリ（４５）を前記ステージ（８）に載置しない状態で前記保護部本体（１２０）から外方に延出し、前記保護部本体（１２０）の外周に沿う枠状をなす枠状延出部（１２３）が設けられていることを特徴とする請求項７に記載の可搬型バッテリの充電器。
【発明の詳細な説明】
【技術分野】
【０００１】
本発明は、可搬型バッテリの充電器に関する。
本発明は、２０１８年３月１２日に、日本に出願された特願２０１８−０４４４６４号に基づき優先権を主張し、その内容をここに援用する。
【背景技術】
【０００２】
従来、電動車両に用いられるバッテリを充電する充電器において、例えば特許文献１に開示されたものがある。特許文献１には、電気機器に作動電力を供給するバッテリと、バッテリが着脱可能に装着されてバッテリを充電する充電器と、を備えた携帯型電源装置が開示されている。
【先行技術文献】
【特許文献】
【０００３】
【特許文献１】日本国特開２０１３−９９２００号公報
【発明の概要】
【発明が解決しようとする課題】
【０００４】
しかしながら、特許文献１に記載の充電器においては、バッテリを充電器に装着していない状態では充電器の端子部が常時露出しているため、充電器の端子部に塵埃などの異物が付着したり、落下物などによる衝撃が加わったりする可能性が高い。【０００５】
そこで本発明は、可搬型バッテリの充電器において、端子部を保護することを目的とする。
【課題を解決するための手段】
【０００６】
上記課題の解決手段として、本発明の態様は以下の構成を有する。
（１）本発明の態様に係る可搬型バッテリの充電器は、電動車両に用いられる可搬型のバッテリ（４５）を載置可能なステージ（８）と、前記バッテリ（４５）を前記ステージ（８）に載置しない状態で、前記ステージ（８）に対して前記バッテリ４５が載置される側の位置とは反対側の位置に設けられた端子部（９）と、前記バッテリ（４５）を前記ステージ（８）に載置しない状態で、前記端子部（９）を保護する保護部（１２）と、を備え、前記ステージ（８）には、前記端子部（９）と対応する箇所で開口する端子開口（８０）が設けられ、前記保護部（１２）は、前記バッテリ（４５）をステージ（８）に載置しない状態では前記端子開口（８０）を覆い、前記バッテリ（４５）を前記ステージ（８）に載置したときに前記ステージ（８）に連動して移動することにより前記端子開口（８０）を露出させる。【０００７】
（２）上記（１）に記載の可搬型バッテリの充電器では、前記ステージ（８）は、上下方向に移動可能であり、前記端子部（９）は、前記バッテリ（４５）を前記ステージ（８）に配置しない状態で、前記ステージ（８）の下方に配置されていてもよい。【０００８】
（３）上記（１）または（２）に記載の可搬型バッテリの充電器では、前記保護部（１２）は、前記充電器（１）が設置される設置面（ＦＬ）と平行な第一方向、または前記第一方向に交差する第二方向に延びる軸の回りに回転可能であってもよい。【０００９】
（４）上記（３）に記載の可搬型バッテリの充電器では、前記バッテリ（４５）を前記ステージ（８）に載置したときに前記ステージ（８）は下方に移動し、前記充電器（１）に設けられ、前記ステージ（８）の下方への移動に伴って前記保護部（１２）に当接する固定部（６８）を更に備え、前記保護部（１２）は、前記ステージ（８）の下方への移動に伴って前記固定部（６８）に当接することにより前記軸の回りに回転してもよい。【００１０】
（５）上記（１）から（４）のいずれか一項に記載の可搬型バッテリの充電器では、前記保護部（１２）は、前記バッテリ（４５）をステージ（８）に載置しない状態で前記端子開口（８０）を覆う保護部本体（１２０）と、前記保護部本体（１２０）から延出し、前記端子部（９）を挟んで設けられた一対の脚部（１２１）と、を備え、前記一対の脚部（１２１）のそれぞれには、前記保護部（１２）の回転中心（Ｃ１）が設けられ、前記保護部（１２）は、前記充電器（１）の内方に向かって回転可能に形成されていてもよい。【００１１】
（６）上記（５）に記載の可搬型バッテリの充電器では、前記脚部（１２１）は、前記充電器（１）の外方に向かって延びる延設部（１２７）を備え、前記保護部（１２）は、前記延設部（１２７）が前記充電器（１）に設けられた固定部（６８）に当接することにより前記充電器（１）の内方に向かって回転してもよい。【００１２】
（７）上記（１）から（６）のいずれか一項に記載の可搬型バッテリの充電器では、前記ステージ（８）には、前記充電器（１）の内部に連通する連通開口（８１）が設けられ、前記連通開口（８１）を覆い、前記ステージ（８）に着脱可能に取り付けられたリッド（８５）を更に備えてもよい。【００１３】
（８）上記（７）に記載の可搬型バッテリの充電器では、前記保護部（１２）は、前記バッテリ（４５）をステージ（８）に載置しない状態で前記端子開口（８０）を覆う保護部本体（１２０）を備え、前記保護部本体（１２０）には、前記バッテリ（４５）を前記ステージ（８）に載置しない状態で前記保護部本体（１２０）から外方に延出し、前記保護部本体（１２０）の外周に沿う枠状をなす枠状延出部（１２３）が設けられていてもよい。
【発明の効果】
【００１４】
本発明の上記（１）に記載の可搬型バッテリの充電器によれば、ステージには、端子部と対応する箇所で開口する端子開口が設けられていることで、端子開口を通じてバッテリと端子部とを接続することができる。加えて、保護部は、バッテリをステージに載置しない状態では端子開口を覆うことで、保護部により、端子部に異物が付着したり衝撃が加わったりすることを防止することができる。加えて、保護部は、バッテリをステージに載置したときにステージに連動して移動することにより端子開口を露出させることで、特別な操作を必要とせず、端子部にバッテリを嵌合させることが可能となる。したがって、端子部を保護することができる。【００１５】
本発明の上記（２）に記載の可搬型バッテリの充電器によれば、ステージは、上下方向に移動可能であり、端子部は、バッテリをステージに配置しない状態で、ステージの下方に配置されていることで、以下の効果を奏する。ステージに対し上方からバッテリが載置された場合であっても、端子部に衝撃が加わることを防止することができる。加えて、バッテリを載置しない状態であっても、保護部により、端子部に異物が付着したり衝撃が加わったりすることを防止することができる。【００１６】
本発明の上記（３）に記載の可搬型バッテリの充電器によれば、保護部は、充電器が設置される設置面と平行な第一方向、または第一方向に交差する第二方向に延びる軸の回りに回転可能であることで、軸の回りの回転動作を利用した簡単な構成で端子部を保護することができる。【００１７】
本発明の上記（４）に記載の可搬型バッテリの充電器によれば、バッテリをステージに載置したときにステージは下方に移動し、充電器に設けられ、ステージの下方への移動に伴って保護部に当接する固定部を更に備え、保護部は、ステージの下方への移動に伴って固定部に当接することにより軸の回りに回転することで、以下の効果を奏する。バッテリをステージに載置するだけで保護部が軸の回りに回転するため、保護部を端子開口から自動的に退けることができる。【００１８】
本発明の上記（５）に記載の可搬型バッテリの充電器によれば、保護部は、バッテリをステージに載置しない状態で端子開口を覆う保護部本体と、保護部本体から延出し、端子部を挟んで設けられた一対の脚部と、を備え、一対の脚部のそれぞれには、保護部の回転中心が設けられ、保護部は、充電器の内方に向かって回転可能に形成されていることで、以下の効果を奏する。バッテリをステージに載置するだけで保護部が充電器の内方に向かって回転するため、保護部を端子開口から自動的に退けることができる。加えて、一対の脚部のそれぞれに保護部の回転中心が設けられていることで、一つの脚部にのみ保護部の回転中心が設けられた構成と比較して、保護部を軸の回りにより安定して回転することができる。加えて、保護部が充電器の内方に向かって回転可能に形成されていることで、充電器の内部を保護部の回転スペースとして利用することができるため、保護部が充電器の外方に向かって回転可能に形成された構成と比較して、充電器の小型化を図ることができる。【００１９】
本発明の上記（６）に記載の可搬型バッテリの充電器によれば、脚部は、充電器の外方に向かって延びる延設部を備え、保護部は、延設部が充電器に設けられた固定部に当接することにより充電器の内方に向かって回転することで、以下の効果を奏する。脚部からの延設部と固定部との当接を利用した簡単な構成で端子部を保護することができる。【００２０】
本発明の上記（７）に記載の可搬型バッテリの充電器によれば、ステージには、充電器の内部に連通する連通開口が設けられ、連通開口を覆い、ステージに着脱可能に取り付けられたリッドを更に備えることで、以下の効果を奏する。ステージからリッドを取り外すことにより、連通開口を通じて充電器の内部にアクセスすることができる。したがって、充電器の内部に塵埃などの異物が入り込んだ場合であっても、連通開口を通じて異物を取り除くことができる。【００２１】
本発明の上記（８）に記載の可搬型バッテリの充電器によれば、保護部は、バッテリをステージに載置しない状態で端子開口を覆う保護部本体を備え、保護部本体には、バッテリをステージに載置しない状態で保護部本体から外方に延出し、保護部本体の外周に沿う枠状をなす枠状延出部が設けられていることで、以下の効果を奏する。保護部に付着した塵埃などの異物を枠状延出部の内側領域にとどめておくことができる。すなわち、保護部を異物のトレイとして機能させることができる。加えて、保護部が充電器の内方に向かって回転する場合、枠状延出部の内側領域に付着していても、異物が意図しない方向へ落ちることを抑制することができる。すなわち、枠状延出部の内側領域に付着している異物を、充電器の内方に向かって落とすことができる。したがって、充電器の内部に連通する連通開口が設けられている場合には、充電器の内方に向かって落ちた異物を、連通開口を通じて容易に取り除くことができる。
【図面の簡単な説明】
【００２２】
【図１】実施形態に係る充電器の斜視図である。
【図２】実施形態に係る充電器の上面図である。
【図３】実施形態に係る充電器の下面図である。
【図４】実施形態に係る充電器の前面図である。
【図５】図２のＶ−Ｖ断面を含む図である。
【図６】実施形態に係る充電器の内部の斜視図である。
【図７】図６においてリッドおよび連結柱を取り外した図である。
【図８】実施形態に係るドレイン管の周辺部の斜視図である。
【図９】実施形態に係る充電器をバッテリと共に示す上面図である。
【図１０】実施形態に係る充電器をバッテリと共に示す後面図である。
【図１１】実施形態に係る端子部の配置位置の説明図である。
【図１２】実施形態に係る保護部を端子部と共に示す斜視図である。
【図１３】実施形態に係る保護部の斜視図である。
【図１４】実施形態の変形例に係る保護部の斜視図である。
【図１５】実施形態の変形例に係る保護部の斜視図である。
【図１６】実施形態の変形例に係る保護部の動作を示す右側図である。
【図１７】実施形態の変形例に係る充電器の内部構造の斜視図である。
【図１８】実施形態の変形例に係るステージが最上方に位置している状態を示す斜視図である。
【図１９】実施形態の変形例に係るステージが最下方に移動した状態を示す斜視図である。
【図２０】実施形態の変形例に係る保護部の動作を示す左側図である。
【図２１】実施形態の変形例に係る保護部の斜視図である。
【図２２】実施形態の変形例に係るバッテリ室底壁の斜視図である。
【発明を実施するための形態】
【００２３】
以下、本発明の実施形態について図面を参照して説明する。各図において、同一構成については同一の符号を付す。実施形態においては、可搬型バッテリの充電器の一例として、電動式の自動二輪車（鞍乗型電動車両）に用いられる可搬型バッテリ（モバイルバッテリ）の充電器を挙げて説明する。実施形態において、可搬型バッテリ（以下単に「バッテリ」ともいう。）の充電器（以下単に「充電器」ともいう。）が設置される設置面は、屋内の平坦な床面とする。
【００２４】
＜充電器１＞
図１に示すように、充電器１は、充電器１底部を構成する基台２と、充電器１側壁を構成する外装体３と、バッテリ４５（図１０参照）を挿入可能かつ取り出し可能に開口する開口部３９（以下「バッテリ開口３９」ともいう。）を形成するカバー部材４と、充電器１の骨格を構成するフレーム５（図６参照）と、バッテリ４５を載置するバッテリ室６（図５参照）と、バッテリ４５の充電制御を行う基板を格納する基板室７（図５参照）と、バッテリ４５を載置可能なステージ８と、バッテリ４５に嵌合可能な端子部９（図５参照）と、端子部９へのバッテリ４５の嵌合速度を抑制する緩衝機構１０（図６参照）と、ステージ８を案内するガイド機構１１（図６参照）と、端子部９を保護する保護部１２（図１２参照）と、を備える。
【００２５】
以下の説明においては、充電器１を床面ＦＬに設置したときの奥行方向（図４に示す紙面に直交する方向）を「前後方向」、床面ＦＬの法線方向（鉛直方向）を「上下方向」、前後方向および上下方向のそれぞれに直交する方向を「左右方向」とする。図中において、前方を矢印ＦＲ、上方を矢印ＵＰ、左方を矢印ＬＨでそれぞれ示している。
【００２６】
＜基台２＞
図３の下面視で、基台２は、左右方向に長手を有する矩形状をなしている。基台２の四つの角部は、外方に凸の弧状をなしている。図５に示すように、基台２は、充電器１の構成要素を下方から支持する基台本体２０と、基台本体２０の四隅から床面に向けて延出する脚部２１と、基台本体２０の四辺から上方に延出する基台フランジ２２と、を備える。図３において、符号２７は電源プラグ、符号２８は冷却ファンをそれぞれ示す。
【００２７】
図５に示すように、基台２は、床面ＦＬとの間に隙間を形成する凹部２３を備える。図５の断面視で、凹部２３は、基台本体２０の下面と、一対の脚部２１の外面とによって形成されている。凹部２３には、ドレイン管６５（図８参照）に連通する排水口２４（図３参照）が設けられている。
【００２８】
＜外装体３＞
図４の前面視で、外装体３は、下辺が上辺よりも短い台形形状をなしている。外装体３は、上側ほど開口面積が広がるように上下方向に延びる矩形筒状をなしている。外装体３の下端は、基台２に結合されている。
【００２９】
図３に示すように、外装体３の左右幅は、外装体３の前後幅よりも大きい。外装体３は、前壁３１、後壁３２、左壁３３および右壁３４を備える。前壁３１および後壁３２は、前後方向に間隔をあけて対向している。左壁３３および右壁３４は、左右方向に間隔をあけて対向している。前壁３１、後壁３２、左壁３３および右壁３４は、隣り合う壁と互いに連結されている。前壁３１、後壁３２、左壁３３および右壁３４は、同一の部材で一体に形成されている。図３の下面視で、前後壁３１，３２と左右壁３３，３４との連結部は、外方に凸の弧状をなしている。
【００３０】
図４に示すように、外装体３の下部には、上方に窪む台形形状の凹部３５（以下「台形凹部３５」ともいう。）が設けられている。台形凹部３５は、前壁３１、後壁３２、左壁３３および右壁３４のそれぞれの下部中央に設けられている。台形凹部３５を通じて、基台２の一部は外方に露出している。
【００３１】
＜カバー部材４＞
図２の上面視で、カバー部材４は、左右方向に長手を有する矩形枠状をなしている。図２の上面視で、カバー部材４の外形は、基台２（図３参照）の外形よりも大きい。カバー部材４の四つの角部は、外方に凸の弧状をなしている。
【００３２】
図４に示すように、カバー部材４は、外装体３の上端部に取り付けられている。カバー部材４は、外装体３を上方から覆っている。外装体３の上端とカバー部材４との間には、冷却風を導入可能に開口する導入口３８が設けられている。
【００３３】
図５に示すように、カバー部材４は、バッテリ開口３９を形成するカバー本体４０と、カバー本体４０から下方に延出するカバー側フランジ４１と、を備える。図９の上面視で、バッテリ開口３９は、バッテリ４５の外形と実質的に同一の輪郭を有している。
【００３４】
図１０に示すように、バッテリ４５は、直方体状をなしている。例えば、バッテリ４５は、リチウムイオンバッテリ４５である。
図９の上面視で、バッテリ４５は、左右方向に延在する前辺４５ａと、後方に凸の湾曲形状をなす後辺４５ｂと、前後方向に延在する左右一対の左辺４５ｃおよび右辺４５ｄと、を有している。図９、図１０において符号４６は、バッテリ４５を把持するための把持部（取っ手）を示す。
【００３５】
図９の上面視で、バッテリ開口３９は、左右方向に延在する前縁３９ａと、後方に凸の湾曲形状をなす後縁３９ｂと、前後方向に延在する左右一対の左縁３９ｃおよび右縁３９ｄと、で区画されている。
これにより、バッテリ４５を前後逆にした状態でバッテリ４５をバッテリ開口３９に挿入しようとしても、バッテリ４５の後辺４５ｂの凸部がバッテリ開口３９の前縁３９ａに当たるため、バッテリ４５をバッテリ開口３９に挿入できないようになっている。
【００３６】
＜フレーム５＞
図６に示すように、フレーム５は、充電器１の上部に配置された枠状の枠体５０と、枠体５０と基台２との上下間に配置された板状の第一プレート５１と、第一プレート５１と基台２との上下間に配置された板状の第二プレート５２と、枠体５０、第一プレート５１および第二プレート５２を連結する複数の連結柱５３と、を備える。
【００３７】
枠体５０および第一プレート５１は、バッテリ室６を区画している。
第一プレート５１および第二プレート５２は、基板室７を区画している。第二プレート５２は、基台２に連結されている。図６において符号５４は、第二プレート５２の外周端から下方にＬ字状に延出して第二プレート５２と基台２とを連結する第二プレート連結脚を示す。
【００３８】
連結柱５３は、上下方向に延在している。連結柱５３の上端部は、枠体５０よりも上方に延出している。連結柱５３の下端は、基台２（基台本体２０）に連結されている。実施形態において、連結柱５３は、充電器１の前部、左部および右部のそれぞれに一本ずつ合計三本配置されている。連結柱５３の上半部は、ステージ８を案内するガイド機構１１を構成する。
【００３９】
連結柱５３の上部には、枠体５０が外方から連結されている。
連結柱５３の上下中間部には、第一プレート５１が連結されている。図６において符号５５は、第一プレート５１の外周端から外方に延出して連結柱５３の挿通部（連結部）を形成する第一プレート連結片を示す。
【００４０】
＜バッテリ室６＞
図５に示すように、バッテリ室６は、バッテリ４５が載置されるバッテリ室底壁６０と、バッテリ室底壁６０に接続されるバッテリ室側壁６１と、を備える。
【００４１】
バッテリ室底壁６０は、矩形板状をなしている。バッテリ室底壁６０は、第一プレート５１の上面に固定されている。バッテリ室底壁６０の上方空間には、バッテリ４５（図１０参照）と共にステージ８が収容される。バッテリ室底壁６０の外形は、バッテリ４５およびステージ８の外形よりも大きい。
バッテリ室側壁６１は、バッテリ室底壁６０の外周から上方に起立している。
【００４２】
バッテリ室側壁６１の外方には、バッテリ室底壁６０の外周から上方に延びるフランジ部６２（以下「バッテリ室フランジ６２」ともいう。）が設けられている。図６に示すように、バッテリ室フランジ６２は、バッテリ室底壁６０の全周にわたって一様の高さで設けられている。
【００４３】
図８に示すように、バッテリ室６の前部には、バッテリ室底壁６０と基台２とを接続するドレイン管６５が設けられている。ドレイン管６５は、上下方向に延在する配管である。図８において符号６６は、バッテリ室底壁６０の前端から前方に延出してドレイン管６５の上端が接続されるドレイン接続部を示す。
【００４４】
図１２において符号６８は、ステージ８（図５参照）の下方への移動に伴って保護部１２に当接する固定部を示す。固定部６８は、バッテリ室底壁６０の右部上方に設けられている。固定部６８は、端子部９の右側方において、バッテリ室底壁６０から上方に起立している。
【００４５】
＜基板室７＞
図５に示すように、基板室７は、バッテリ室６の下方に配置されている。上面視で、基板室７は、バッテリ室底壁６０の外周縁よりも内側に配置されている。言い換えると、上面視で、基板室７の外形は、バッテリ室底壁６０の外形よりも小さい。
基板室７は、バッテリ４５（図１０参照）の充電制御を行う複数の基板７１，７２（以下「制御基板７１，７２」ともいう。）と、複数の制御基板７１，７２を格納する基板室底壁７０と、を備える。
【００４６】
複数の制御基板７１，７２は、基板室底壁７０の中央部に搭載された複数の第一制御基板７１と、基板室底壁７０の外周から上方に起立する複数の第二制御基板７２と、である。
複数の第一制御基板７１は、複数の第二制御基板７２によって囲まれている。
複数の第二制御基板７２は、バッテリ４５の充電制御を行う制御回路を内側（基板室７中央）に向けて配置されている。第二制御基板７２は、バッテリ室６の側壁として機能する。第二制御基板７２の外面は、外装体３の内面と対向している。なお、第二制御基板７２の外面には、フィンまたはヒートシンクが設けられていてもよい。
【００４７】
上面視で、基板室底壁７０は、バッテリ室底壁６０よりも小さい矩形板状をなしている。基板室底壁７０は、第二プレート５２の上方に配置されている。基板室底壁７０は、上下方向に延在する柱状のスペーサ７３を介して第二プレート５２の上面に固定されている。なお、基板室底壁７０の下面には、フィンまたはヒートシンクが設けられていてもよい。
【００４８】
＜ステージ８＞
図５に示すように、ステージ８は、バッテリ開口３９の内方に配置されている。ステージ８は、上下方向に移動可能である。端子部９は、バッテリ４５をステージ８に載置しない状態（図５の二点鎖線で示すステージ８の位置）で、ステージ８の下方に配置されている。ステージ８は、バッテリ４５をステージ８に載置したときに、下方に移動することによりバッテリ４５を端子部９に嵌合させる。図５において、ステージ８が最下方に移動した状態を実線で示す。
【００４９】
図２の上面視で、ステージ８は矩形形状をなしている。上面視で、ステージ８は、バッテリ４５（図９参照）の外形と実質的に同一の外形を有している。図２の上面視で、ステージ８は、左右方向に延在する前辺８ａと、後方に凸の湾曲形状をなす後辺８ｂと、前後方向に延在する左右一対の左辺８ｃおよび右辺８ｄと、を有している。
【００５０】
ステージ８には、端子部９と対応する箇所で開口する端子開口８０と、充電器１の内部に連通する連通開口８１と、が設けられている。
端子開口８０は、ステージ８の後部に配置されている。図２の上面視で、端子開口８０は、左右方向に延在している。
連通開口８１は、ステージ８の前部（端子開口８０の前方）に配置されている。図２の上面視で、連通開口８１は、左右方向に長手を有する矩形形状をなしている。
【００５１】
ステージ８の上面には、連通開口８１を覆うリッド８５が設けられている。リッド８５は、ステージ８に着脱可能に取り付けられている。図２の上面視で、リッド８５は、連通開口８１（図７参照）よりも大きい矩形形状をなすリッド本体８６と、リッド本体８６の左右外端から外方に延出する左右一対のリッド延出片８７と、を備える。図２において符号８８は、リッド延出片８７をステージ８に固定するためのボルト等の締結部材が挿通される挿通孔を示す。図７においては、ステージ８からリッド８５を取り外した状態を示す。
【００５２】
ステージ８の四隅には、下方に窪む水抜き凹部８２が設けられている。図２の上面視で、水抜き凹部８２は、円形をなしている。水抜き凹部８２は、中心側ほど下方に位置するように傾斜して窪んでいる。リッド８５前部の角部は、ステージ８と共に水抜き凹部８２を形成している。水抜き凹部８２の中心には、ステージ８を厚み方向（上下方向）に貫通する水抜き孔８３が設けられている。
【００５３】
図７に示すように、ステージ８の下面には、ステージ８を下方から支持するステージ支持体９０が取り付けられている。ステージ支持体９０は、ステージ８の左右側部よりも左右外方に延出する前後一対の左右外方延出部９１と、ステージ８の前部よりも下方に延出する第一下方延出部９２と、ステージ８の左右側部よりも下方に延出する左右一対の第二下方延出部９３と、第二下方延出部９３から前外方に延出する前下方延出部９４と、を備える。
【００５４】
図１２において符号９８は、保護部１２の付勢部材１２２が係止される第一係止凸部を示す。第一係止凸部９８は、端子部９の右側方においてステージ８（図５参照）の下面から下方に延出する右下方延出部９９の下端から右方に突出している。
【００５５】
図６に示すように、ステージ８の左右側部には、ステージ８を常時上方へ付勢するステージ付勢部材９５が設けられている。ステージ付勢部材９５は、充電器１の左右側部に一つずつ左右一対設けられている。実施形態において、ステージ付勢部材９５は、上下方向に延在するコイルスプリングである。
ステージ付勢部材９５の上端は、枠体５０の左右側部に取り付けられている。ステージ付勢部材９５の下端は、ステージ支持体９０における前下方延出部９４の下端に取り付けられている。
【００５６】
ステージ付勢部材９５は、バッテリ４５（図１０参照）をステージ８に載置したときに下方に移動したステージ８を、上方へ移動させる。具体的に、ステージ付勢部材９５は、バッテリ４５がステージ８に載置されていないとき、バッテリ室６に収容されているステージ８を、バッテリ４５がステージ８に載置される前の位置に復帰させる。すなわち、端子部９からバッテリ４５が取り外され、バッテリ４５がバッテリ開口３９の外方に取り出されたとき、ステージ付勢部材９５は、バッテリ室６に収容されているステージ８をもとの位置に戻す。
図５において、最下方まで移動したステージ８を実線で示し、下方に移動する前（もとの位置）のステージ８を二点鎖線で示す。
【００５７】
＜端子部９＞
図５に示すように、端子部９は、バッテリ４５をステージ８に載置しない状態で、ステージ８に対してバッテリ４５が載置される側の位置（上側の位置）とは反対側の位置（下側の位置）に配置されている。端子部９は、バッテリ４５をステージ８に載置しない状態で、ステージ８の下方に配置されている。端子部９は、左右方向に延在する端子支持プレート９６に固定されている。端子支持プレート９６の左右両端部は、上下方向に延在する柱部材（不図示）を介してバッテリ室底壁６０の上面に固定されている。
【００５８】
端子部９において端子支持プレート９６の上面よりも上側の部分は、バッテリ４５の底部に嵌合することにより、バッテリ４５の底部に設けられたバッテリ側端子（不図示）に電気的に接続される。
端子部９において端子支持プレート９６の下面よりも下側の部分は、各種配線（不図示）を介して制御基板７１，７２などに電気的に接続される。
【００５９】
端子部９は、バッテリ室フランジ６２の延出端よりも高い位置に配置されている。言い換えると、端子部９の下端は、バッテリ室フランジ６２の上端よりも上方に配置されている。
【００６０】
図１１に示すように、端子部９は、バッテリ４５がバッテリ開口３９に斜めに挿入されたときに端子部９に向けて最も突出する部分４７（以下「下方最大突出端４７」ともいう。）よりも低い位置に配置されている。
【００６１】
ここで、バッテリ４５の下方最大突出端４７は、直方体状のバッテリ４５がバッテリ開口３９に斜めに挿入されたときに、バッテリ開口３９の中心軸線ＣＬが直方体状のバッテリ４５の角部を二等分する位置における下端を意味する。すなわち、バッテリ４５の下方最大突出端４７は、バッテリ開口３９の中心軸線ＣＬがバッテリ４５の角部の二等分線となるときの下端である。
【００６２】
＜緩衝機構１０＞
緩衝機構１０（図６参照）は、バッテリ４５（図１０参照）をステージ８に載置したときに、端子部９（図５参照）へのバッテリ４５の嵌合速度を抑制する。ここで、嵌合速度は、端子部９がバッテリ４５の底部に嵌合するときの速度を意味する。嵌合速度は、嵌合時におけるバッテリ４５と端子部９との相対速度である。実施形態では、端子部９はバッテリ室底壁６０に対し定位置に固定されているため、嵌合速度はバッテリ４５の下方への移動速度（落下速度）となる。実施形態によれば、緩衝機構１０を有しない構成と比較して、端子部９へのバッテリ４５の嵌合速度が遅くなるため、端子部９に衝撃が発生することを回避することができる。
【００６３】
図２の上面視で、緩衝機構１０は、ステージ８の対辺において、ステージ８の中心位置Ｐ１を対称中心として点対称に複数配置されている。実施形態において、緩衝機構１０は、ステージ８の左辺８ｃと右辺８ｄとにおいて、二回対称（左右軸線を対称軸として線対称）に二つずつ配置されている。図２の上面視で、二つの緩衝機構１０は、ステージ８の二辺（左辺８ｃおよび右辺８ｄ）において、ガイド機構１１を前後方向外方から挟むように配置されている。
【００６４】
図６に示すように、緩衝機構１０は、上下方向に延在するピストンロッド１００と、ピストンロッド１００を摺動自在に収容する筒状のシリンダ１０１と、ピストンロッド１００を上方に付勢するスプリング等の不図示の付勢部材（以下「復帰スプリング」ともいう。）と、を備える。例えば、緩衝機構１０としては、量産品のダンパーが用いられる。
【００６５】
図７に示すように、ピストンロッド１００の上端は、ステージ支持体９０における左右外方延出部９１に取り付けられている。シリンダ１０１の下端は、基台２に固定されている。復帰スプリング（不図示）は、端子部９（図５参照）がバッテリ４５の底部に嵌合するときの衝撃力を抑える。
【００６６】
＜ガイド機構１１＞
ガイド機構１１（図６参照）は、バッテリ４５（図１０参照）をステージ８に載置したときに、ステージ８を案内する。
図２の上面視で、ガイド機構１１は、バッテリ４５の重心位置Ｐ２（図９参照）を囲むように複数配置されている。ここで、バッテリ４５の重心位置は、バッテリ４５の中心位置と実質的に同じ位置である。実施形態において、ガイド機構１１は、バッテリ４５の重心位置Ｐ２を囲む三角形の領域（図２の上面視で逆三角形をなす一点鎖線で囲まれた領域）を形成するように三つ配置されている。
【００６７】
三つのガイド機構１１は、ステージ８の三辺に一つずつ配置されている。実施形態において、三つのガイド機構１１は、ステージ８の前辺８ａ、左辺８ｃおよび右辺８ｄのそれぞれに一つずつ配置されている。
【００６８】
以下、ステージ８の前辺８ａに配置されたガイド機構１１を「前ガイド機構１１」、ステージ８の左辺８ｃに配置されたガイド機構１１を「左ガイド機構１１」、ステージ８の右辺８ｄに配置されたガイド機構１１を「右ガイド機構１１」ともいう。
前ガイド機構１１は、ステージ８の左右方向中心位置に配置されている。
左ガイド機構１１および右ガイド機構１１は、ステージ８の前後方向中心位置よりも後方にオフセットした位置に配置されている。
【００６９】
図６に示すように、ガイド機構１１は、スライダ１１０（図７参照）と、スライダ１１０を摺動自在に支持するレール１１１と、を備える。
図７に示すように、スライダ１１０は、ステージ支持体９０における第一下方延出部９２および第二下方延出部９３に固定されている。
図６に示すように、レール１１１は、連結柱５３の上半部の内側部分に固定されている。
【００７０】
＜保護部１２＞
保護部１２（図１２参照）は、バッテリ４５（図１０参照）をステージ８（図５参照）に載置しない状態で、端子部９を保護する。保護部１２は、バッテリ４５をステージ８に載置しない状態では端子開口８０（図５参照）を覆う。保護部１２は、バッテリ４５をステージ８に載置したときにステージ８に連動して移動することにより、端子開口８０を露出させる。
保護部１２は、設置面ＦＬと平行な第一方向（左右方向）に延びる軸の回りに回転可能である。保護部１２は、充電器１の内方に向かって回転可能に形成されている。
【００７１】
図１３に示すように、保護部１２は、バッテリ４５をステージ８に載置しない状態で端子開口８０（図５参照）を覆う保護部本体１２０と、保護部本体１２０から外方に延出する一対の脚部１２１（以下「保護脚部１２１」ともいう。）と、保護脚部１２１を付勢する付勢部材１２２（図１２参照）と、を備える。
【００７２】
保護部本体１２０は、左右方向に延在している。保護部本体１２０は、端子開口８０よりも大きい板状をなしている。保護部本体１２０は、バッテリ４５をステージ８に載置しない状態で、ステージ８の下方から端子開口８０を覆う。
【００７３】
保護部本体１２０には、保護部本体１２０の外周に沿う枠状をなす枠状延出部１２３が設けられている。枠状延出部１２３は、バッテリ４５をステージ８に載置しない状態で、保護部本体１２０から上方に延出している。上面視で、枠状延出部１２３の外形は、端子開口８０（図２参照）の外周縁と実質的に同じ形状を有する。枠状延出部１２３は、保護部本体１２０の全周にわたって一様の高さで設けられている。なお、枠状延出部１２３は、保護部本体１２０の全周にわたって一様の高さで設けられていることに限らない。例えば、枠状延出部１２３において充電器１の内方に位置する部分は、他の部分よりも低くてもよい。
【００７４】
保護脚部１２１は、端子部９（図１２参照）を挟んで左右に一対設けられている。図１２においては、一対の保護脚部１２１のうち左側の保護脚部１２１の図示を省略している。保護脚部１２１は、ステージ８の下方への移動に伴って固定部６８に当接することにより、第一方向（左右方向）に延びる軸の回りに回転する。一対の保護脚部１２１のそれぞれには、保護部１２の回転中心が設けられている。図１３において符号Ｃ１は、保護部１２の回転中心を示す。
【００７５】
図１３に示すように、バッテリ４５（図１０参照）をステージ８に載置しない状態で、保護脚部１２１は、保護部本体１２０の左右外端から左右方向外方に延出する第一延出部１２５と、第一延出部１２５の左右外端から下方に延出する第二延出部１２６と、第二延出部１２６の下端から後方に向かって延びる延設部１２７と、第二延出部１２６の下部から前方に突出する第二係止凸部１２８と、を備える。
【００７６】
実施形態において、付勢部材１２２（図１２参照）は、トーションバネ（ねじりバネ）である。図１２に示すように、付勢部材１２２は、一対の保護脚部１２１のうち右側の保護脚部１２１（以下「右保護脚部１２１」ともいう。）を、保護部１２の回転方向Ｒ１と反対方向に常時付勢している。付勢部材１２２の第一端は、第一係止凸部９８に取り付けられている。付勢部材１２２の第二端は、第二係止凸部１２８に取り付けられている。
【００７７】
バッテリ４５をステージ８に載置しない状態で、延設部１２７の後端は、固定部６８の上方に位置している。バッテリ４５をステージ８に載置すると、保護部１２は、延設部１２７が固定部６８に当接することにより、付勢部材１２２の付勢力に抗して、充電器１の内方に向かって回転する。図１２において符号Ｒ１は、保護部１２の回転方向を示す。図１２においては、充電器１の内方に向かって回転したときの保護部１２を二点鎖線で示している。
【００７８】
＜ＬＥＤ基板１３０＞
図９に示すように、カバー本体４０には、ＬＥＤ基板１３０が設けられていてもよい。ＬＥＤ基板１３０は、カバー本体４０とガイド機構１１との上下方向間に配置されている。ＬＥＤ基板１３０は、左右方向に長手を有する長方形板状をなしている。ＬＥＤ基板１３０には、複数のＬＥＤ素子１３１が左右方向に間隔をあけて直線状に並んで配置されている。ＬＥＤ基板１３０の左右端部は、ガイド機構１１を避けた位置で、カバー本体４０に取り付けられている。例えば、ＬＥＤ基板１３０の左右端部は、タッピングねじ等の固定部材１３２によってカバー本体４０に固定されている。上面視で、ガイド機構１１は、ＬＥＤ基板１３０の左右中央部と重なる位置に配置されている。上面視で、ガイド機構１１は、ＬＥＤ基板１３０の前端よりも後方に位置している。
【００７９】
カバー本体４０においてＬＥＤ基板１３０が設けられている部分（左右方向に延在する前辺部）は、少なくともＬＥＤ基板１３０の分の幅（前後長さ）が必要となる。実施形態では、ＬＥＤ基板１３０の分の幅を利用してガイド機構１１を配置している。具体的に、カバー本体４０においてＬＥＤ基板１３０が設けられている部分にガイド機構１１を配置し、ＬＥＤ基板１３０が設けられていない部分（左右方向に延在する後辺部）にはガイド機構１１を配置していない。これにより、ＬＥＤ基板１３０が設けられていない部分の幅を可及的に狭くすることができ、充電器１の設置面積を小さくすることができる。
【００８０】
＜作用＞
以下、実施形態の充電器１の作用について説明する。
実施形態においては、バッテリ４５をステージ８に載置しない状態（以下「初期状態」ともいう。）で、ステージ８はバッテリ開口３９の内方に配置されている（図５参照）。初期状態で、端子部９はステージ８の下方に配置されている。図５において、初期状態の位置にあるステージ８を二点鎖線で示す。
【００８１】
初期状態において、バッテリ４５をステージ８に載置すると、ステージ８はバッテリ４５と共に下方に移動し、バッテリ室底壁６０に近接する。図５において、バッテリ室底壁６０に近接した位置にあるステージ８を実線で示す。
実施形態においては、左右一対のステージ付勢部材９５（図６では左のステージ付勢部材９５のみ図示）がステージ８を常時上方へ付勢しているため、ステージ８はバッテリ４５と共にステージ付勢部材９５の付勢力に抗して下方へ移動していく。
加えて、実施形態においては、三つのガイド機構１１（図６参照）がステージ８の三辺に一つずつ配置されているため、ステージ８をバッテリ４５と共に下方へスムーズに移動させることができる。ステージ８が下方へ移動するに従って、端子開口８０からは端子部９が上方に徐々に突出してくる。
【００８２】
ステージ８がバッテリ４５と共に下降してバッテリ室底壁６０に近接した状態（以下「ステージ下降状態」ともいう。）で、端子部９は端子開口８０を通じてバッテリ４５の底部に嵌合する。
実施形態においては、二つの緩衝機構１０（図６参照）がステージ８の二辺においてガイド機構１１を前後方向外方から挟むように配置されているため、端子部９へのバッテリ４５の嵌合時に、端子部９に作用する負荷をバランスよく抑制することができる。
【００８３】
ステージ下降状態において、端子部９からバッテリ４５が取り外され、バッテリ４５がバッテリ開口３９の外方に取り出されると、ステージ８はもとの位置（初期状態の位置）に戻る。
実施形態においては、左右一対のステージ付勢部材９５（図６参照）がステージ８を常時上方へ付勢しているため、バッテリ４５が載置されていないステージ８を、もとの位置へスムーズに移動させることができる。
【００８４】
＜保護部１２の動作＞
以下、実施形態の保護部１２の動作について説明する。
実施形態において、保護部１２（図１２参照）は、バッテリ４５（図１０参照）をステージ８に載置しない状態（初期状態）では端子開口８０（図５参照）を覆い、バッテリ４５をステージ８に載置したときにステージ８に連動して移動することにより、端子開口８０を露出させる。
【００８５】
初期状態において、バッテリ４５をステージ８に載置すると、ステージ８は保護部１２と共に下方に移動していく。
図１２に示すように、実施形態においては、延設部１２７が、初期状態で固定部６８の上方に位置している。加えて、付勢部材１２２が、右保護脚部１２１を保護部１２の回転方向Ｒ１と反対方向に常時付勢している。これにより、バッテリ４５をステージ８に載置すると、延設部１２７には矢印Ｆ１方向の力が作用するため、保護部１２は、付勢部材１２２の付勢力に抗して、充電器１の内方に向かって回転していく。
【００８６】
保護部１２が充電器１の内方に向かって回転すると、端子開口８０（図５参照）が露出する。保護部１２はステージ８に連動して移動するため、ステージ８が下方へ移動するに従って、端子開口８０からは端子部９が上方に徐々に突出してくる。
【００８７】
以上説明したように、上記実施形態の充電器１は、電動車両に用いられる可搬型のバッテリ４５を載置可能なステージ８と、バッテリ４５をステージ８に載置しない状態で、ステージ８に対してバッテリ４５が載置される側の位置とは反対側の位置に設けられた端子部９と、バッテリ４５をステージ８に載置しない状態で、端子部９を保護する保護部１２と、を備え、ステージ８には、端子部９と対応する箇所で開口する端子開口８０が設けられ、保護部１２は、バッテリ４５をステージ８に載置しない状態では端子開口８０を覆い、バッテリ４５をステージ８に載置したときにステージ８に連動して移動することにより端子開口８０を露出させる。
この構成によれば、ステージ８には、端子部９と対応する箇所で開口する端子開口８０が設けられていることで、端子開口８０を通じてバッテリ４５と端子部９とを接続することができる。加えて、保護部１２は、バッテリ４５をステージ８に載置しない状態では端子開口８０を覆うことで、保護部１２により、端子部９に異物が付着したり衝撃が加わったりすることを防止することができる。加えて、保護部１２は、バッテリ４５をステージ８に載置したときにステージ８に連動して移動することにより端子開口８０を露出させることで、特別な操作を必要とせず、端子部９にバッテリ４５を嵌合させることが可能となる。したがって、端子部９を保護することができる。
【００８８】
上記実施形態では、ステージ８は、上下方向に移動可能であり、端子部９は、バッテリ４５をステージ８に配置しない状態で、ステージ８の下方に配置されていることで、以下の効果を奏する。ステージ８に対し上方からバッテリ４５が載置された場合であっても、端子部９に衝撃が加わることを防止することができる。加えて、バッテリ４５を載置しない状態であっても、保護部１２により、端子部９に異物が付着したり衝撃が加わったりすることを防止することができる。
【００８９】
上記実施形態では、保護部１２は、充電器１が設置される設置面ＦＬと平行な第一方向に延びる軸の回りに回転可能であることで、軸の回りの回転動作を利用した簡単な構成で端子部９を保護することができる。
【００９０】
上記実施形態では、バッテリ４５をステージ８に載置したときにステージ８は下方に移動し、充電器１に設けられ、ステージ８の下方への移動に伴って保護部１２に当接する固定部６８を更に備え、保護部１２は、ステージ８の下方への移動に伴って固定部６８に当接することにより軸の回りに回転することで、以下の効果を奏する。バッテリ４５をステージ８に載置するだけで保護部１２が軸の回りに回転するため、保護部１２を端子開口８０から自動的に退けることができる。
【００９１】
上記実施形態では、保護部１２は、バッテリ４５をステージ８に載置しない状態で端子開口８０を覆う保護部本体１２０と、保護部本体１２０から延出し、端子部９を挟んで設けられた一対の脚部１２１と、を備え、一対の脚部１２１のそれぞれには、保護部１２の回転中心Ｃ１が設けられ、保護部１２は、充電器１の内方に向かって回転可能に形成されていることで、以下の効果を奏する。バッテリ４５をステージ８に載置するだけで保護部１２が充電器１の内方に向かって回転するため、保護部１２を端子開口８０から自動的に退けることができる。加えて、一対の脚部１２１のそれぞれに保護部１２の回転中心Ｃ１が設けられていることで、一つの脚部１２１にのみ保護部１２の回転中心が設けられた構成と比較して、保護部１２を軸の回りにより安定して回転することができる。加えて、保護部１２が充電器１の内方に向かって回転可能に形成されていることで、充電器１の内部を保護部１２の回転スペースとして利用することができるため、保護部１２が充電器１の外方に向かって回転可能に形成された構成と比較して、充電器１の小型化を図ることができる。
【００９２】
上記実施形態では、脚部１２１は、充電器１の外方に向かって延びる延設部１２７を備え、保護部１２は、延設部１２７が充電器１に設けられた固定部６８に当接することにより充電器１の内方に向かって回転することで、以下の効果を奏する。脚部１２１からの延設部１２７と固定部６８との当接を利用した簡単な構成で端子部９を保護することができる。
【００９３】
上記実施形態では、ステージ８には、充電器１の内部に連通する連通開口８１が設けられ、連通開口８１を覆い、ステージ８に着脱可能に取り付けられたリッド８５を更に備えることで、以下の効果を奏する。ステージ８からリッド８５を取り外すことにより、連通開口８１を通じて充電器１の内部にアクセスすることができる。したがって、充電器１の内部に塵埃などの異物が入り込んだ場合であっても、連通開口８１を通じて異物を取り除くことができる。
【００９４】
上記実施形態では、保護部１２は、バッテリ４５をステージ８に載置しない状態で端子開口８０を覆う保護部本体１２０を備え、保護部本体１２０には、バッテリ４５をステージ８に載置しない状態で保護部本体１２０から外方に延出し、保護部本体１２０の外周に沿う枠状をなす枠状延出部１２３が設けられていることで、以下の効果を奏する。保護部１２に付着した塵埃などの異物を枠状延出部１２３の内側領域にとどめておくことができる。すなわち、保護部１２を異物のトレイとして機能させることができる。加えて、保護部１２が充電器１の内方に向かって回転する場合、枠状延出部１２３の内側領域に付着していても、異物が意図しない方向へ落ちることを抑制することができる。すなわち、枠状延出部１２３の内側領域に付着している異物を、充電器１の内方に向かって落とすことができる。したがって、充電器１の内部に連通する連通開口８１が設けられている場合には、充電器１の内方に向かって落ちた異物を、連通開口８１を通じて容易に取り除くことができる。
【００９５】
＜変形例＞
上記実施形態では、充電器１が設置される設置面を屋内の平坦な床面ＦＬとした例を挙げて説明したが、これに限らない。例えば、充電器１の設置面は、屋外の地面であってもよく、水平面に対して傾斜する傾斜面であってもよい。
【００９６】
上記実施形態では、ステージ８の移動方向から見て、ステージ８が矩形形状をなしている例を挙げて説明したが、これに限らない。例えば、ステージ８の移動方向から見て、ステージ８は、矩形以外の多角形形状をなしていてもよい、円形形状または楕円形形状をなしていてもよい。
【００９７】
上記実施形態では、ステージ８の移動方向から見て、緩衝機構１０が、ステージ８の対辺において、ステージ８の中心位置Ｐ１を対称中心として点対称に複数配置されている例を挙げて説明したが、これに限らない。例えば、ステージ８の移動方向から見て、緩衝機構１０は、ランダムに複数配置されていてもよい。
【００９８】
上記実施形態では、緩衝機構１０が複数配置されている例を挙げて説明したが、これに限らない。例えば、緩衝機構１０は一つのみ配置されていてもよい。
【００９９】
上記実施形態では、ステージ８の移動方向から見て、ガイド機構１１がバッテリ４５の重心位置Ｐ２を囲むように複数配置されている例を挙げて説明したが、これに限らない。例えば、ガイド機構１１は、バッテリ４５の重心位置Ｐ２を囲まないように複数配置されていてもよい。あるいは、ガイド機構１１を二つ配置し、バッテリ４５の重心位置Ｐ２と二つのガイド機構１１とを一直線状に並ぶように配置してもよい。
【０１００】
上記実施形態では、ガイド機構１１が複数配置されている例を挙げて説明したが、これに限らない。例えば、ガイド機構１１は一つのみ配置されていてもよい。
【０１０１】
上記実施形態では、ステージ８の移動方向から見て、緩衝機構１０は、ステージ８の二辺において、ガイド機構１１を挟むように複数配置されている例を挙げて説明したが、これに限らない。例えば、緩衝機構１０は、ステージ８の一辺または三辺以上の辺において、ガイド機構１１を挟むように複数配置されていてもよい。すなわち、ステージ８の移動方向から見て、緩衝機構１０は、ステージ８の少なくとも一辺において、ガイド機構１１を挟むように複数配置されていてもよい。
【０１０２】
上記実施形態では、ステージ８が開口部３９の内方に配置されている例を挙げて説明したが、これに限らない。例えば、ステージ８は、開口部３９の外方に配置されていてもよい。
【０１０３】
上記実施形態では、緩衝機構１０およびガイド機構１１が別個独立に設けられている例を挙げて説明したが、これに限らない。例えば、緩衝機構１０およびガイド機構１１が一体に設けられていてもよい。例えば、緩衝機構１０がバッテリ４５の緩衝機能およびステージ８の案内機能のそれぞれを持っていてもよい。
【０１０４】
上記実施形態では、保護部１２が、設置面ＦＬと平行な第一方向（左右方向）に延びる軸の回りに回転可能である例を挙げて説明したが、これに限らない。例えば、保護部１２は、第一方向に交差する第二方向（上下方向または前後方向）に延びる軸の回りに回転可能であってもよい。すなわち、保護部１２は、充電器１が設置される設置面ＦＬと平行な第一方向、または第一方向に交差する第二方向に延びる軸の回りに回転可能であってもよい。
【０１０５】
上記実施形態では、保護部本体１２０が軸の回りに回転可能である例を挙げて説明したが、これに限らない。例えば、保護部本体１２０は、ステージ８の下面に沿ってスライド可能であってもよい。すなわち、保護部本体１２０は、バッテリ４５をステージ８に載置しない状態（初期状態）では端子開口８０を覆い、バッテリ４５をステージ８に載置したときにステージ８に連動して移動することにより、端子開口８０を露出させればよい。
【０１０６】
上記実施形態では、保護部１２は、バッテリ４５をステージ８に載置しない状態で端子開口８０を覆う保護部本体１２０と、保護部本体１２０から外方に延出する一対の保護脚部１２１と、保護脚部１２１を付勢する付勢部材１２２と、を備える例を挙げて説明したが、これに限らない。例えば、図１４に示すように、保護部２１２は、バッテリ４５をステージ８に載置しない状態で端子開口８０を覆う保護部本体１２０と、保護部本体１２０をステージ８の下面に沿ってスライドさせるスライド機構２３０と、を備えていてもよい。
【０１０７】
図１４の例では、スライド機構２３０は、バッテリ４５をステージ８に載置しない状態で、保護部本体１２０の前部右側に取り付けられたＬ字状の本体支持部２３１と、本体支持部２３１に回転可能に挿通され、第一方向（左右方向）に延びる第一軸２３２と、第一軸２３２の右端に上端部が支持され、図１６の側面視（初期状態）で後方ほど下方に位置するように傾斜して直線状に延びるアーム部２３３と、アーム部２３３の下端部に回転可能に挿通され、第一軸２３２と平行に延びる第二軸２３４と、アーム部２３３を付勢するアーム付勢部材２３５と、本体支持部２３１を案内するガイド板２３６と、を備える。図１６においては、初期状態の位置にある保護部２１２を二点鎖線で示している。
【０１０８】
本変形例において、アーム付勢部材２３５は、トーションバネである。アーム付勢部材２３５は、アーム部２３３を、第二軸２３４の回りの回転方向Ｒ１と反対方向に常時付勢している。ガイド板２３６には、保護部本体１２０のスライド方向Ｓ１に沿って延在するスリット２３７が設けられている。
【０１０９】
バッテリ４５をステージ８に載置しない状態で、アーム部２３３は、下側ほど端子部９（図５参照）に近接する方向に位置するように直線状に傾斜している。保護部本体１２０は、バッテリ４５がステージ８に載置されると、アーム付勢部材２３５の付勢力に抗して、ステージ８の下面に沿ってスライドする。図１６において符号Ｓ１は、保護部本体１２０のスライド方向を示す。保護部本体１２０が矢印Ｓ１方向にスライドすると、端子開口８０が露出する（図１５参照）。
【０１１０】
上記実施形態では、付勢部材がトーションバネである例を挙げて説明したが、これに限らない。例えば、付勢部材は、板ばね及び渦巻ばね等のトーションバネ以外のばねであってもよい。例えば、付勢部材は、ゴムなどの弾性体であってもよい。すなわち、付勢部材は、保護部が端子開口８０を覆っている状態を維持する方向に作用する付勢力を有していればよい。
【０１１１】
上記実施形態では、スライダ１１０が、ステージ支持体９０における第一下方延出部９２および第二下方延出部９３に固定されている例を挙げて説明したが、これに限らない。例えば、図１７に示すように、スライダ２１０を含むステージ周辺部品２０９は、一体成形されていてもよい。例えば、ステージ周辺部品２０９の形成材料は、樹脂材料を用いる。図１７において、符号２１０はスライダ、符号２１１はピストンロッド１００の上端を支持するロッド上支持部、符号２１２はステージ８（図１８参照）の外形に沿う矩形枠状をなす枠壁をそれぞれ示す。
【０１１２】
本変形例において、ステージ８（図１８参照）、スライダ２１０、ロッド上支持部２１１および枠壁２１２は、同一の部材で一体に形成されている。すなわち、ステージ８およびステージ周辺部品２０９は、同一の部材で一体に形成されている。これにより、ステージ８を含む周辺構造が簡易化し、充電器の組み立てが容易になる。
【０１１３】
図１７において、符号２２０はカバー本体４０の四つの角部から下方に延出する下方延出壁を示す。下方延出壁２２０は、枠壁２１２の内方に配置されている。下方延出壁２２０は、枠壁２１２を介してステージ８の上下方向への移動を案内するガイド壁として機能する。図１７においては、初期状態の位置にあるステージ周辺部品２０９を実線で示し、バッテリ室底壁（基板室上壁２５０）に近接した位置にあるステージ周辺部品２０９を二点鎖線で示す。
【０１１４】
図１８においては、初期状態の位置にあるステージ８（最上方に位置している状態）を示す。図１９においては、ステージ８が最下方に移動した状態を示す。
ところで、カバー本体４０に下方延出壁２２０を設けた場合、ステージ８が下方に移動すると、ステージ８とカバー部材４との上下方向間に隙間が生じてしまう。これに対し、本変形例では、枠体２１２の上下高さを、前記隙間を塞ぐ大きさに設定したことで、ステージ８が下方に移動した場合でも、ステージ８とカバー部材４との間に隙間が生じることを防止することができる。したがって、ステージ８とカバー部材４との間等に物が落ちることなどを防止することができる。
【０１１５】
上記実施形態では、基板室７が、複数の制御基盤７１，７２と、複数の制御基板７１，７２を格納する基板室底壁７０と、を備える例を挙げて説明したが、これに限らない。例えば、図１７に示すように、基板室７Ａは、複数の制御基板（不図示）を格納する基板室上壁２５０と、基板室上壁２５０の外周から下方に延びるフランジ壁２５１と、を備えていてもよい。すなわち、本変形例の基板室７Ａは、実施形態における基板室７を上下方向に反転した構成を有している。例えば、複数の制御基盤（不図示）は、ポッティング等により基板室上壁２５０に固定されている。本変形例において、基板室上壁２５０は、バッテリ室底壁としても機能する。
【０１１６】
複数の制御基板（不図示）は、基板室上壁２５０の中央部に搭載された複数の第一制御基板と、基板室上壁２５０の外周から下方に起立する複数の第二制御基板と、である。本変形例において、第二制御基板の高さは、第一制御基板の高さよりも低い。冷却ファン２８は、上面視で、基板室上壁２５０の中央部と重なる位置に配置されている。言い換えると、冷却ファン２８は、複数の第一制御基板を避けた位置（上面視で複数の第二制御基板と重なる位置）に配置されている。すなわち、冷却ファン２８は、基板の高さが低い部分に配置されている。これにより、充電器の全体的な高さを短縮することができる。
【０１１７】
上記実施形態では、端子部９の右側方に固定部６８が設けられている例を挙げて説明したが、これに限らない。例えば、図２０に示すように、端子部９の左右側方には、バッテリ室底壁（基板室上壁２５０）から上方に起立する上方起立部３１０と、保護部１２Ａを案内可能なガイド部材３１５と、が設けられていてもよい。図２０においては、端子部９の左側方に位置する上方起立部３１０およびガイド部材３１５を示す。
【０１１８】
側面視で、ガイド部材３１５は、上方起立部３１０の上部と重なる位置に配置されている。側面視で、ガイド部材３１５は、上下方向に延在する環状をなしている。図２０において、符号３１６はガイド部材３１５において前上方に凸の湾曲形状をなす湾曲部、符号３１７は湾曲部３１６に連なり上下方向に直線状に延在する上下直線部をそれぞれ示す。
【０１１９】
図２１に示すように、保護部１２Ａは、保護部本体３２０と、保護部本体３２０から外方に延出する一対の保護脚部３２１と、保護脚部３２１を付勢する付勢部材３２２（図２０参照）と、を備える。
【０１２０】
保護脚部３２１は、端子部９（図２０参照）を挟んで左右に一対設けられている。図２０においては、一対の保護脚部３２１のうち右側の保護脚部３２１の図示を省略している。保護脚部３２１は、ステージ８の下方への移動に伴ってガイド部材３１５に当接することにより、第一方向（左右方向）に延びる軸の回りに回転する。一対の保護脚部３２１のそれぞれには、保護部１２Ａの回転中心が設けられている。図２１において符号Ｃ１は、保護部１２Ａの回転中心を示す。
【０１２１】
図２１に示すように、バッテリ４５（図１０参照）をステージ８に載置しない状態で、保護脚部３２１は、保護部本体３２０の左右外端から左右方向外方ほど下方に位置するように傾斜して延びる第一延出部３２５と、第一延出部３２５の左右外端から下方に延出する第二延出部３２６と、第二延出部３２６の下端から後方に向かって延びる延設部３２７と、を備える。第二延出部３２６の前部には、後方に窪む係止凹部３２８が設けられている。
【０１２２】
図２０に示すように、付勢部材３２２は、一対の保護脚部３２１のうち左側の保護脚部３２１（以下「左保護脚部３２１」ともいう。）を、保護部１２Ａの回転方向Ｒ１と反対方向に常時付勢している。付勢部材３２２の第一端は、係止凸部（不図示）に取り付けられている。付勢部材３２２の第二端は、左保護脚部３２１の係止凹部３２８に取り付けられている。
【０１２３】
バッテリ４５をステージ８に載置しない状態で、延設部３２７の後端は、ガイド部材３１５の上方に位置している。本変形例において、延設部３２７の後部には、ガイド部材３１５の外形に沿うように窪むガイド凹部３２９（図２１参照）が設けられている。バッテリ４５をステージ８に載置すると、保護部１２Ａは、ガイド凹部３２９がガイド部材３１５の湾曲部３１６に当接することにより、付勢部材３２２の付勢力に抗して、充電器の内方に向かって回転していく。保護部１２Ａは、充電器の内方に向かって回転していく途中で、ガイド凹部３２９がガイド部材３１５の直線部３１７に当接することにより、充電器１の下方に向かって直線部３１７に沿って下方へ移動していく。図２０において、符号Ｒ１は保護部１２Ａの回転方向、符号Ｒ２は直線部３１７に沿う保護部１２Ａの移動方向をそれぞれ示す。図２０においては、充電器の内方に向かって移動したときの保護部１２Ａを二点鎖線で示している。
【０１２４】
図２２に示すように、バッテリ室底壁（基板室上壁２５０）の上面には、異物受け領域２５５が設けられていてもよい。異物受け領域２５５は、基板室上壁２５０の上面において、矩形環状の環状壁２５６により囲まれた領域である。
【０１２５】
バッテリ４５をステージ８に載置すると、保護部１２Ａが付勢部材３２２の付勢力に抗して異物受け領域２５５に向かって回転する。これにより、枠状延出部３２３の内側領域に付着している異物を、異物受け領域２５５に向かって落とすことができる。
【０１２６】
なお、本発明は上記実施形態に限られるものではなく、例えば、前記鞍乗型電動車両には、運転者が車体を跨いで乗車する車両全般が含まれ、自動二輪車（原動機付自転車及びスクータ型車両を含む）のみならず、三輪（前一輪且つ後二輪の他に、前二輪且つ後一輪の車両も含む）の車両も含まれる。また、本発明は、自動二輪車のみならず、自動車等の四輪の車両にも適用可能である。
例えば、充電器は、自動二輪車のモバイルバッテリの充電器に限らず、電動車両以外の電気機器の充電器に適用してもよい。
そして、上記実施形態における構成は本発明の一例であり、実施形態の構成要素を周知の構成要素に置き換える等、本発明の要旨を逸脱しない範囲で種々の変更が可能である。
【符号の説明】
【０１２７】
１  充電器
８  ステージ
９  端子部
１２，２１２  保護部
３９  バッテリ開口（開口部）
４５  バッテリ
６８  固定部
８０  端子開口
８１  連通開口
８５  リッド
１２０  保護部本体
１２１  脚部
１２３  枠状延出部
１２７  延設部
Ｃ１  保護部の回転中心
ＦＬ  床面（設置面）
【図１】
0006914420.tif 000002
【図２】
0006914420.tif 000003
【図３】
0006914420.tif 000004
【図４】
0006914420.tif 000005
【図５】
0006914420.tif 000006
【図６】
0006914420.tif 000007
【図７】
0006914420.tif 000008
【図８】
0006914420.tif 000009
【図９】
0006914420.tif 000010
【図１０】
0006914420.tif 000011
【図１１】
0006914420.tif 000012
【図１２】
0006914420.tif 000013
【図１３】
0006914420.tif 000014
【図１４】
0006914420.tif 000015
【図１５】
0006914420.tif 000016
【図１６】
0006914420.tif 000017
【図１７】
0006914420.tif 000018
【図１８】
0006914420.tif 000019
【図１９】
0006914420.tif 000020
【図２０】
0006914420.tif 000021
【図２１】
0006914420.tif 000022
【図２２】
0006914420.tif 000023